(57)【要約】【課題】電解めっき層の膜厚を均一にできる電解めっき方法と、電解めっきラインを提供する【解決手段】保持具に被めっき物を保持させる工程と、被めっき物をめっき液に浸漬する工程を行う。また、保持具を介して被めっき物に負電圧を印加し、めっき液内に配置された正電極に正電圧を印加するとともに、保持具を被めっき物とともに所定方向に回転しながら被めっき物の表面に電解めっき層を形成する工程を行う。回転しながら電解めっき処理を施すことにより、均一な膜厚でめっき層を形成することができる。【選択図】図４
2006299306.tif 000002
【特許請求の範囲】
【請求項１】
保持具に被めっき物を保持させる工程と、
前記被めっき物を前記めっき液に浸漬する工程と、
前記保持具を介して前記被めっき物に負電圧を印加し、前記めっき液内に配置された正電極に正電圧を印加し、前記保持具を前記被めっき物とともに所定方向に回転しながら前記被めっき物の表面に電解めっき層を形成する工程と、
前記電解めっき層が形成された前記被めっき物を前記保持具から分離して回収する工程と、
を含むことを特徴とする電解めっき方法。
【請求項２】
被めっき物を保持してめっき液に浸漬するための保持具と、
その保持具を搬送して前記被めっき物に所定の工程を施す搬送ラインと、
前記被めっき物を前記保持具に保持させて前記搬送ラインで搬送できる状態とする被めっき物供給部と、
前記めっき液を貯留するめっき槽と、
そのめっき槽に設けられた正電極と、
前記保持具を介して前記被めっき物に負電圧を印加し、前記正電極に正電圧を印加して、前記被めっき物の表面に電解めっき層を形成する電源と、
前記電解めっき層を形成する時に、前記保持具を前記被めっき物ごと所定方向に軸回転する回転機構と、
前記電解めっき層が形成された前記被めっき物を回収する回収部と、
を備えることを特徴とする電解めっきライン。
【請求項３】
袋状の空間を有する袋状ワークの開口部から自身の先端部を挿入して前記袋状ワークを保持し、前記開口部が上を向いた姿勢で前記袋状ワークをめっき液に浸漬するための保持具と、
その保持具を搬送して前記袋状ワークに所定の工程を施す搬送ラインと、
前記保持具に前記袋状ワークを保持させて前記搬送ラインで搬送できる状態とする袋状ワーク供給部と、
前記めっき液を貯留するめっき槽と、
そのめっき槽に設けられた正電極と、
前記保持具を介して前記袋状ワークに負電圧を印加し、前記正電極に正電圧を印加して、前記袋状ワークの表面に電解めっき層を形成する電源と、
前記電解めっき層を形成する時に、前記保持具を前記袋状ワークごと所定方向に軸回転する回転機構と、
前記めっき槽から前記袋状ワークを引上げる際に、前記袋状空間内に溜まった前記めっき液が自然流下できるように、前記袋状ワークを傾ける傾斜機構と、
前記電解めっき層が形成された前記袋状ワークを回収する回収部と、
を備えることを特徴とする電解めっきライン。
【請求項４】
前記搬送ラインは一定速度で前記保持具を搬送し、
前記保持具は前記搬送ラインによって前記めっき液内を移動し、
前記正電極は第一および第二正電極からなり、それら第一および第二正電極は前記めっき液内を移動する前記保持具を進行方向側面から挟む位置に配置されている請求項２または３記載の電解めっきライン。
【請求項５】
前記回転機構は、前記保持具の上部に設けられたピニオンと、そのピニオンに噛み合うラックとから構成され、
前記ラックは前記めっき槽の上部にのみ設けられており、他の液槽の上部には設けられていない請求項２ないし４のいずれか１項に記載の電解めっきライン。
【発明の詳細な説明】
【技術分野】
【０００１】
本発明は、電解めっき方法および電解めっきラインに関するものである。
【背景技術】
【０００２】
従来、電解めっき処理を施す場合は、図１１Ａに示すように、保持具１０２に被めっき物１０１を保持してめっき液１０３に浸漬し、２枚の正電極１０４の間に被めっき物１０１を位置させていた（例えば下記特許文献１）。これら２枚の正電極１０４と、保持具１０２間に電圧を印加することにより、被めっき物１０１の表面に電解めっき層を形成する。
【特許文献１】特開平６−８８２９３号公報
【発明の開示】
【発明が解決しようとする課題】
【０００３】
ところが、上記方法を用いると電解めっき層の膜厚が不均一になる問題があった。図１１Ｂに電解めっき層１０５の膜厚を誇張した図を示す。このように、上記方法を用いると正電極１０４に近い部分で膜厚が厚くなり、遠い部分で薄くなる傾向がある。この場合、電解めっき層１０５の最低膜厚を確保しようとすると厚い部分が必然的にできてしまい、めっき材料を余分に必要とするため、コストの上昇を招いていた。そのため、被めっき物１０１に膜厚の均一な電解めっき層１０５を形成できるめっき方法が望まれていた。
【０００４】
本発明は上述のような事情を背景になされたもので、特に、電解めっき層の膜厚を均一にできる電解めっき方法と、電解めっきラインを提供することを課題とする。
【課題を解決するための手段および発明の効果】
【０００５】
上記課題を解決するために本第１発明の電解めっき方法は、
保持具に被めっき物を保持させる工程と、
被めっき物をめっき液に浸漬する工程と、
保持具を介して被めっき物に負電圧を印加し、めっき液内に配置された正電極に正電圧を印加し、保持具を被めっき物とともに所定方向に回転しながら被めっき物の表面に電解めっき層を形成する工程と、
電解めっき層が形成された被めっき物を保持具から分離して回収する工程と、
を含むことを主要な特徴とする。
【０００６】
電解めっき層の膜厚が不均一になるのは、電解めっき層の原料となる金属イオンの濃度がめっき液中で不均一になっているためである。すなわち、金属イオンは正電極が溶解して運ばれてくるものなので、正電極に近い場所では金属イオン濃度が濃くなり、遠いところでは薄くなる。しかし上記第１発明によると、被めっき物をめっき液中で回転させるので、めっき層が特定の場所で厚くならず、膜厚を均一にすることが可能となる。
【０００７】
また、本第２発明の電解めっきラインは、
被めっき物を保持してめっき液に浸漬するための保持具と、
その保持具を搬送して被めっき物に所定の工程を施す搬送ラインと、
被めっき物を保持具に保持させて搬送ラインで搬送できる状態とする被めっき物供給部と、
めっき液を貯留するめっき槽と、
そのめっき槽に設けられた正電極と、
保持具を介して被めっき物に負電圧を印加し、正電極に正電圧を印加して、被めっき物の表面に電解めっき層を形成する電源と、
電解めっき層を形成する時に、保持具を被めっき物ごと所定方向に軸回転する回転機構と、
電解めっき層が形成された被めっき物を回収する回収部と、
を備えることを主要な特徴とする。
【０００８】
上記第２発明の電解めっきラインは、保持具を軸回転する回転機構を備えているので、めっき液中で被めっき物を回転でき、めっき膜の膜厚分布を均一にすることができる。この回転機構は例えばラックとピニオンによって構成することができる。
【０００９】
さらに、本第３発明の電解めっきラインは、
袋状の空間を有する袋状ワークの開口部から自身の先端部を挿入して袋状ワークを保持し、開口部が上を向いた姿勢で袋状ワークをめっき液に浸漬するための保持具と、
その保持具を搬送して袋状ワークに所定の工程を施す搬送ラインと、
保持具に袋状ワークを保持させて搬送ラインで搬送できる状態とする袋状ワーク供給部と、
めっき液を貯留するめっき槽と、
そのめっき槽に設けられた正電極と、
保持具を介して袋状ワークに負電圧を印加し、正電極に正電圧を印加して、袋状ワークの表面に電解めっき層を形成する電源と、
電解めっき層を形成する時に、保持具を袋状ワークごと所定方向に軸回転する回転機構と、
めっき槽から袋状ワークを引上げる際に、袋状空間内に溜まっためっき液が自然流下できるように、袋状ワークを傾ける傾斜機構と、
電解めっき層が形成された袋状ワークを回収する回収部と、
を備えることを主要な特徴とする。
【００１０】
上記第３発明の電解めっきラインは、袋状ワークに特化したものである。この電解めっきラインでは、袋状ワークの開口から保持具の先端を差し込んで、袋状ワークの内面に保持具が接触するようにして保持している。つまり、保持具が袋状ワークの外面と接触していると、その接触した部分にめっきが付きにくくなるので、内側から接触させているのである。そして、保持具を先端側からめっき液に入れて袋状ワークを浸漬する。つまり、袋状ワークの開口が上になる姿勢で浸漬する。そして、回転機構によって保持具と袋状ワークをめっき液中で回転することにより、袋状ワークの外面にめっき層を均一な厚さで形成することが可能となる。一方、この姿勢のまま袋状ワークを引き上げると袋状空間にめっき液が溜まり、このまま次の工程（例えば水洗工程）に進むと水洗槽にめっき液が入ってしまう。これを防ぐために上記第３発明では、傾斜機構によって袋状ワークを傾け、めっき液をめっき槽に流している。
【００１１】
また、本第４発明の電解めっきラインは、上記第２または第３発明におけるもので、
搬送ラインは一定速度で保持具を搬送し、
保持具は搬送ラインによってめっき液内を移動し、
正電極は第一および第二正電極からなり、それら第一および第二正電極はめっき液内を移動する保持具を進行方向側面から挟む位置に配置されていることを特徴とする。
【００１２】
上記第４発明によると、保持具を一定速度で搬送しているので、例えば上述のラックとピニオンからなる回転機構を用いて保持具を一定速度で回転させることができる。また、めっき液内で被めっき物を挟むように第一および第二正電極が位置しているので、電解めっき層の原料となる金属イオンを被めっき物に対して供給しやすい配置になっている。
【００１３】
また、本第５発明の電解めっきラインは、上記第２〜第４発明におけるもので、
回転機構は、保持具の上部に設けられたピニオンと、そのピニオンに噛み合うラックとから構成され、
ラックはめっき槽の上部にのみ設けられており、他の液槽の上部には設けられていないことを特徴とする。
【００１４】
上記第５発明によると、めっき槽以外の液槽、例えば水洗槽にはラックを設けていないため、ラックを設置する費用を削減できる。
【発明を実施するための最良の形態】
【００１５】
次に、本発明の実施形態を、図面を参照しながら説明する。
図１は被めっき物の例として袋状ワーク（袋ナット）を示すものである。袋状ワーク１はめねじ部４を有する本体２と、本体２のおねじ部材の螺入側（開口部６）とは反対側の部分を塞ぐキャップ部３とを備え、めねじ部４とその奥部の空所（ボルト等のおねじ部材の先端部が進入する部分）とにより袋状の空間（閉鎖空間）５が形成される。このような袋ナット１が、鍛造加工さらに転造もしくは切削等によるねじ加工、キャップ部３の溶接及び熱処理の後、洗浄や防錆、めっき等のために所定の液槽に浸漬される。
【００１６】
その際、図２Ａに示すような保持具７を用いる。保持具７は中央ピン１０と、その中央ピン１０に関して対称に配置された左右ピン８，９を備え、これら３本のピンを使って先端部に袋状ワーク１を装着する（図２Ｂ）。左右ピン８，９は双方の間隔が変わる程度に弾性変形可能で、かつ先端部が外側に向かって折れ曲がっている。袋状ワーク１を装着する際には、左右ピン８，９に力を加えて双方の間隔を狭め、袋状ワーク１の開口部６に差し込み、力を緩める。すると、左右ピン８，９が外側へ弾性変形する力が袋状ワーク１の内面に加わるとともに先端部が引っかかり、簡単に抜けなくなる。
【００１７】
図３に、本発明の電解めっき方法の概略図を示す。このように、めっき槽１４にはめっき液１１が貯えられ、第一正電極１２，第二正電極１３が設けられている。袋状ワーク１を保持具７に装着した後、保持具７を先端側からめっき液１１に入れ、袋状ワーク１を第一正電極１２，第二正電極１３の間に位置させる。そして第一，第二正電極１２，１３に正電圧を印加し、保持具７を介して袋状ワーク１に負電圧を印加して、袋状ワーク１に電解めっき層を形成する。この際、保持具７を所定方向に軸回転することにより、袋状ワーク１に均一な膜厚のめっき層を形成することが可能となる。また、袋状ワーク１は開口部６が上を向く姿勢で保持されているので、めっき液１１に浸漬した際に内部にめっき液１１が入り込む。そのため、袋状ワーク１の外面のみならず、内面にも所定の処理を施すことができる。
【００１８】
次に、本発明の電解めっきライン２６の一部を図４に示す。このように、電解めっきライン２６には複数のめっき槽１４ａ，１４ｂが配置されている。また、複数（図では３つ）の保持具７ａ〜７ｃを板状のベース部２２に回動可能に取り付け、一度に複数個の袋状ワーク１を処理できるようにしてある。より詳しくは、ベース部２２の上面には歯車１７〜１９が配置され、各歯車１７〜１９に保持具７ａ〜７ｃがそれぞれ取り付けられ、ベース部２２に対して各保持具７ａ〜７ｃは回動可能になっている。中央の歯車１８には支柱１６が取り付けられ、その支柱１６に、ラック２５と噛み合うピニオン２４が取り付けられている。また、支柱１６の先端にはカムフォロア２３（ローラ）を回動自在に設けてある。
【００１９】
一方、ベース部２２は揺動部材２１によってベース支持具２０に揺動自在に取り付けられており、ベース支持具２０の上端はチェーン（図示しない）に固定されている。このチェーンが矢印Ｆの方向に動くことによりベース部２２が移動し、また、ラック２５とピニオン２４が噛み合って支柱１６が回転する。その回転力は歯車１８を通して歯車１７，１９に伝わり、これにより保持具７ａ，７ｃが回転する。
【００２０】
このように、本実施形態では袋状ナット１がめっき槽１４内を移動している。そして、袋状ナット１を進行方向側面から挟む位置に第一正電極１２と第２正電極１３が配置されている。
【００２１】
上記チェーンは無限軌道にされていてモータ等の駆動装置により巡回され、これら駆動装置、チェーン、ベース支持具２０、ベース部２２等により後述の搬送ライン３９が構成される。また、ラック２５とピニオン２４によって本発明の回転機構が構成される。
【００２２】
次に、袋状ワーク１がめっき槽１４ａ，１４ｂ間の境界を乗り越える際の動きについて説明する。めっき槽１４ａ，１４ｂ間の上方には捩れたレール状のカム部材１５が配置されている。ピニオン２４がラック２５の終端部Ｅへ来ると、カムフォロア２３がカム部材１５に入る（図５）。その後、搬送に伴ってカムフォロア２３はカム部材１５内を進み、カム部材１５が捩れているためカムフォロア２３は揺動部材２１を中心として強制的に下方へ回転させられる（図６）。揺動部材２１に関してカムフォロア２３の反対側に位置する袋状ワーク１は上方へ持ち上げられる。カムフォロア２３が進行すると、図７に示すように更に下方へ回され、袋状ワーク１はより上方へ持ち上げられる。この際、袋状ワーク１は９０°以上回転しているため、袋状空間５内に溜まっためっき液１１が自然流下する。これにより、袋状空間５にめっき液が溜まった状態で次のめっき槽１４ｂへ移動することが無くなる。
【００２３】
このように、袋状ワーク１の開口部６を上に向けた姿勢で電解めっき処理をしたとしても、本発明の傾斜機構（カム部材１５及びカムフォロア２３）により、次のめっき槽１４ｂへ進む際に袋状ワーク１を傾け、内部のめっき液を流下させることが可能になる。
【００２４】
次に、電解めっき工程の一例を説明する。図８における工程２７〜３８が巡回的に行われることにより、袋状ワーク１に電解めっきを施こす。いま、ロード／アンロード工程３８では、図２等に示す保持具７の先端部に、鍛造加工された後に熱処理がされた袋状ワーク１が、開口部６が上方を向くように取り付けられる。そして、このように袋状ワーク１が装着された保持具７は、搬送ライン３９のベース部２２に取り付けられ、その搬送ライン３９によって一定速度で搬送されつつ、必要な液槽に袋状ワーク１が浸漬される。
【００２５】
搬送ライン３９は上述したように、モータ等の駆動装置により巡回するチェーンと、そのチェーンに固定されたベース支持具２０，ベース部２２等から構成され、各保持具７はこの搬送ライン３９によって巡回する。図９にその概念図を示す。各ベース部２２は一定の間隔を空けて電解めっきライン２６内を巡回しており、それぞれのベース部２２に、図４に示すように複数個の保持具７が装着される。搬送ライン３９は保持具７を一定速度で巡回させており、特定の場所で停止したりせず、連続して巡回するようになっている。このため、各工程２７〜３８の処理時間に合わせて液槽１４，４０〜４３の長さを変えている。つまり、処理時間の長い工程では液槽の長さを長くし、処理時間が短い工程では液槽を短くしてある。
【００２６】
ある保持具７は脱脂槽４０に浸漬されて脱脂工程が実施され、別の保持具７は陰極酸電解槽４１に浸漬されてスケール除去が行われ、さらに別の保持具７は陽極電解槽４２に浸漬されて袋状ワーク１の活性化が図られ、また別の保持具７はめっき槽１４に浸漬されてめっき工程が実施され、さらにまた別の保持具７は防錆油槽４３に浸漬されて防錆油が付着される。このように全体的にみると、脱脂、スケール除去、活性化、めっき、防錆等の工程が並列的に実施される。
【００２７】
ここで、一つの保持具７に着目し、それに保持された袋状ワーク１に対する各工程を順を追って図８，９に従い説明する。まず、ロード／アンロードステーション３８（本発明の被めっき物供給部、袋状ワーク供給部）において、袋状ワーク１を装着した保持具７は搬送ライン３９のベース部２２に取り付けられ、そのステーション３８から一定速度で搬送されて、アルカリ脱脂工程２７において袋状ワーク１が所定のアルカリ溶液（脱脂槽４０）に浸漬されてアルカリ脱脂が行われる。次に、ここから引き上げられ、水洗槽に浸漬されて、アルカリ溶液（脱脂液）を洗う水洗工程２８が実施される。この引き上げと浸漬の動作は、カム部材１５およびカムフォロア２３（図５〜図７）によって行われ、袋状ワーク１の袋状空間に入っているアルカリ溶液を水洗槽へ持ち込まないようになっている。水洗の後、袋状ワーク１は硫酸溶液等に浸漬されて、熱処理により袋状ワーク１に生じているスケールを除去する（スケールとばし）陰極酸電解工程２９が実施される。
【００２８】
それから、上記と同様の水洗工程３０で上記硫酸溶液等が洗われた後、袋状ワーク１は所定のアルカリ溶液（陽極電解脱脂槽４２）に浸漬され、後工程で予定されているめっきの付きを良くするために、表面を活性化する陽極電解脱脂工程３１が施される。さらに、上記と同様の水洗工程３２を経て、電解めっき工程（めっき１）３３に至る。ここで、袋状ワーク１の外面に例えばニッケル等の電解めっき層が形成される。ここでの電解めっき層は、例えば半光沢ニッケルめっき又は光沢ニッケルめっき等であり、それらのいずれか一方を施すこと又は相前後して半光沢及び光沢のめっきを別々のめっき槽で順番に行うこともできる。電解めっき工程３３を行う際には、本発明の回転機構（ラック２５およびピニオン２４）によって、袋状ワーク１はめっき液の中で回転しており、これにより、袋状ワーク１の外面に均一な膜厚の電解めっき層を形成している。なお、ラック２５は、めっき槽１４の上部にのみ取り付けられており、他の液槽（水洗槽、脱脂槽４０、陰極酸電解槽４１など）には取り付けられていない。水洗槽などでは袋状ワーク１を回転させなくても、所望の効果を得られるからである。
【００２９】
このめっき工程が終われば、袋状ワーク１は保持具７ごと引き上げられ、水洗槽に浸漬されて水洗（３４）される。ここで、さらに第２めっき工程３５（別材質）を実施する場合は、上記水洗後、袋状ワーク１を保持具７とともに、例えばクロムめっきのためのめっき槽に浸漬される。そのめっき工程３５が終了すれば、めっき後の袋状ワーク１がめっき槽から引き上げられ、水洗工程３６に至り、そこで上述と同様にめっき液が洗われる。
【００３０】
なお、脱脂槽４０、水槽、陽極電解脱脂槽４２、めっき槽１４から袋状ワーク１を引き上げて次の液槽へ移す際には、カム部材１５とカムフォロア２３からなる傾斜機構によって、引き上げ・浸漬の動作が行われ、袋状ワーク内部に溜まった溶液を次の液槽に持ち込まないようになっている。
【００３１】
水洗工程３６の後、防錆工程３７に続く。すなわち、袋状ワーク１を保持する保持具７は、傾斜機構によって水洗槽から引き上げられ、防錆油槽に浸漬される。この浸漬の過程で、袋状ワーク１は開口部６が上を向いた姿勢で浸漬けされるので、袋状空間に防錆油がスムーズに入り、袋状ワーク１の内部まで防錆油を付着させることができる。その後、保持具７を傾斜機構（カム部材１５およびカムフォロア２３）で引き上げれば、袋状ワーク１の袋状空間に入り込んでいる防錆油は袋状ワーク１の開口部６より流下するため、余分な防錆油を内部に残すことなく袋状ワークを引き上げることができる。
【００３２】
このような防錆工程３７が終了すれば、めっき及び防錆油付着が完了した袋状ワーク１は、保持具７に保持されたまま、前述のロード／アンロードステーション３８（本発明の回収部）に戻り、ここで保持具７が搬送ライン３９から取り外され、さらにその保持具７に保持されている袋状ワーク１が保持具７から離脱させられて、一連の工程が完了し、出荷等となる。
【００３３】
なお、従来の保持具１０２では図１１に示すように、被めっき物１０１を開口部が下を向く姿勢で保持していたので、内部に空気が閉じ込められ、水やめっき液、防錆油などが入り込めなかった。従って内部にめっき層が形成されなかったり、防錆油が付かなかったりして、ここから錆びやすくなっていた。これに対して本発明では、袋状ワーク１を開口部６が上を向く姿勢で保持して各種溶液（水やめっき液、防錆油など）に浸漬するため、袋状ワーク１の内側に溶液がスムーズに入り、内部にめっき層を形成したり防錆油を付着したりできる。
【００３４】
以上説明した実施形態では、搬送ライン３９が一定の速度で保持具７および袋状ワーク１を搬送したが、本発明は別の形態を採用することもできる。例えば図１０に示すように、チェーン４４に複数個の連結具４５を設け、袋状ワーク１を装着した保持具７を連結具４５に取り付けた構成としてもよい。チェーン４４によって保持具７を袋状ワーク１とともに搬送し、図示しない上昇・下降機構によって各保持具７を個別に上昇・下降させてめっき液に浸漬する。そして、回転機構（図示しない）によって保持具７をめっき液中で静止回転する。
【００３５】
さらに別の実施形態として、例えば図４のようにラック２５とピニオン２４からなる回転機構を有し、めっき槽１４内で往復運動をさせることにより、袋状ワーク１を回転させてもよい。このようにすると、めっき槽の長さが短い場合であっても、袋状ワーク１を所望の時間、回転しながら処理できる。
【００３６】
以上、袋状ワーク１に電解めっき処理を施す方法について主に説明したが、袋状ワーク１以外の被めっき物に対して、この電解めっきを行ってもよい。例えばボルト等に電解めっき処理を施す場合であっても、所定の保持具に保持させて、めっき液中で所定方向に軸回転させることにより、ボルトの表面に均一な電解めっき層を形成することができる。
【図面の簡単な説明】
【００３７】
【図１】被めっき物である袋状ワークの（Ａ）表面図（Ｂ）断面図
【図２】保持具の一例
【図３】本発明の電解めっき方法の概念図
【図４】本発明の電解めっきラインの一部
【図５】傾斜機構の動きを説明する図
【図６】図５に続く図
【図７】図６に続く図
【図８】本発明の工程の一例を示す工程図
【図９】本発明を実施する設備を概念的に示す平面図
【図１０】他の実施形態
【図１１】従来例の説明図
【符号の説明】
【００３８】
１  袋状ワーク（被めっき物）
６  袋状ワークの開口部
７  保持具
１１  めっき液
１２  第一正電極
１３  第二正電極
１４  めっき槽
１５  カム部材
２３  カムフォロア（ローラ）
２４  ピニオン
２５  ラック
２６  電解メッキライン
３８  ロード／アンロードステーション（被めっき物供給部、袋状ワーク供給部、回収部）
３９  搬送ライン
【図１】
2006299306.tif 000003
【図２】
2006299306.tif 000004
【図３】
2006299306.tif 000005
【図４】
2006299306.tif 000006
【図５】
2006299306.tif 000007
【図６】
2006299306.tif 000008
【図７】
2006299306.tif 000009
【図８】
2006299306.tif 000010
【図９】
2006299306.tif 000011
【図１０】
2006299306.tif 000012
【図１１】
2006299306.tif 000013